(57)【要約】【課題】一対の基板の間に挟持される液晶層の厚みが不均一になることに起因する表示品位の低下を抑制することが可能な液晶表示装置を提供する。【解決手段】この液晶表示装置は、基板３の表面上に形成されたブラックマトリクス８と、ブラックマトリクス８を覆うように、基板３の表面上に形成されたオーバーコート層９と、一対の基板２および３の間の間隙を保持するためのスペーサ１０とを備えている。そして、スペーサ１０は、額縁部８ａの近傍の領域２２ａに配置された最も外側のスペーサ１０ａと、領域２２ａよりも内側の領域２２ｂに配置されたスペーサ１０ｂとに分類されており、所定の方向に互いに隣接するスペーサ１０ａの間の間隔が、所定の方向に互いに隣接するスペーサ１０ｂの間の間隔よりも大きくなるように構成されている。【選択図】図２
2009069723.tif 000002
【特許請求の範囲】
【請求項１】
液晶層が一対の基板の間に挟持された液晶表示パネルを含む液晶表示装置であって、
前記一対の基板のうちの一方の基板の表面上に形成され、表示領域を取り囲む額縁部を
少なくとも有するブラックマトリクスと、
前記ブラックマトリクスを覆うように、前記一方の基板の表面上に形成されたオーバー
コート層と、
前記オーバーコート層の表面上に形成され、前記一対の基板の間の間隙を保持するため
の複数のスペーサとを備え、
前記スペーサは、前記ブラックマトリクスの額縁部の近傍の第１領域に配置された最も
外側の第１スペーサと、前記第１領域よりも内側の第２領域に配置された第２スペーサと
に分類されており、
前記ブラックマトリクスの額縁部が延びる方向に沿った所定の方向に互いに隣接する前
記第１スペーサの間の間隔の少なくとも１つが、前記所定の方向に互いに隣接する前記第
２スペーサの間の間隔よりも大きくなるように構成されていることを特徴とする液晶表示
装置。
【請求項２】
前記所定の方向に互いに隣接する前記第１スペーサの間の間隔の全てが、前記所定の方
向に互いに隣接する前記第２スペーサの間の間隔よりも大きくなるように構成されている
ことを特徴とする請求項１に記載の液晶表示装置。
【請求項３】
前記第１スペーサおよび前記第２スペーサは、それぞれ、前記所定の方向に沿って列状
に配列されており、
前記第１スペーサにより構成される列の１列分に含まれる前記第１スペーサの個数は、
前記第２スペーサにより構成される列の１列分に含まれる前記第２スペーサの個数よりも
少ないことを特徴とする請求項１または２に記載の液晶表示装置。
【請求項４】
前記液晶表示パネルは、カラーフィルタが設けられていないモノクロ表示用の液晶表示
パネルであることを特徴とする請求項１〜３のいずれかに記載の液晶表示装置。
【発明の詳細な説明】
【技術分野】
【０００１】
この発明は、液晶表示装置に関し、特に、液晶層が一対の基板の間に挟持された液晶表
示パネルを含む液晶表示装置に関する。
【背景技術】
【０００２】
従来、液晶層を挟持する一対の基板の間にスペーサを設けることにより、一対の基板の
間の間隙を保持するように構成された液晶表示パネルを含む液晶表示装置が知られている
（たとえば、特許文献１参照）。この特許文献１では、一対の基板の間の間隙がスペーサ
によって保持されるので、一対の基板の間に挟持される液晶層の厚み（セルギャップ）を
均一にすることが可能となる。
【０００３】
また、従来では、上記した構成において、液晶表示パネルにカラーフィルタが設けられ
ていないモノクロ表示用の液晶表示装置も知られている。
【０００４】
図４は、従来のモノクロ表示用の液晶表示装置の構造を説明するための断面図である。
図５は、図４に示した従来のモノクロ表示用の液晶表示装置に設けられたスペーサの配置
位置を説明するための平面図である。なお、図４は、図５の２００−２００線に沿った断
面に対応している。まず、図４および図５を参照して、従来のモノクロ表示用の液晶表示
装置の構造について説明する。
【０００５】
従来のモノクロ表示用の液晶表示装置は、図４に示すように、液晶層と、画素電極をス
イッチング制御するＴＦＴ（薄膜トランジスタ）などが設けられたアレイ基板と、そのア
レイ基板と液晶層を挟んで対向するように配置された対向基板１０１とを少なくとも備え
ている。なお、図４には、図面の簡略化のため、液晶層およびアレイ基板は図示していな
い。
【０００６】
対向基板１０１のアレイ基板（図示せず）側の表面上には、ブラックマトリクス１０２
が形成されている。このブラックマトリクス１０２は、図４および図５に示すように、複
数の画素１１１を含む表示領域１１２を取り囲むように額縁状に形成された部分１０２ａ
（以下、額縁部１０２ａと言う）と、表示領域１１２内において複数の画素１１１を互い
に区切るように格子状に形成された部分１０２ｂとを有している。また、対向基板１０２
のアレイ基板側の表面上には、オーバーコート層１０３がブラックマトリクス１０２を覆
うように形成されている。
【０００７】
そして、対向基板１０１とアレイ基板（図示せず）との間の間隙を保持するスペーサ１
０４は、オーバーコート層１０３のアレイ基板側の表面上に複数形成されている。この複
数のスペーサ１０４は、ブラックマトリクス１０２の格子状の部分１０２ｂに対応する領
域に規則的に配列されている。なお、以下の説明では、ブラックマトリクス１０２の額縁
部１０２ａの近傍の領域１１２ａに配置された最も外側のスペーサ（図５中の黒丸で示さ
れるスペーサ）１０４をスペーサ１０４ａと言うとともに、領域１１２ａよりも内側の領
域１１２ｂに配置されたスペーサ（図５中の白丸で示されるスペーサ）１０４をスペーサ
１０４ｂと言う。
【０００８】
【特許文献１】特開２００２−４０４４２号公報
【発明の開示】
【発明が解決しようとする課題】
【０００９】
上記のような従来のモノクロ表示用の液晶表示装置では、オーバーコート層１０３の構
成材料を対向基板１０１の表面上に塗布する際に、ブラックマトリクス１０２の額縁部１
０２ａに対応する領域から表示領域１１２に向かってオーバーコート層１０３の構成材料
が流れ、ブラックマトリクス１０２の格子状の部分１０２ｂに対応する領域からその周辺
の表示領域１１２に向かってオーバーコート層１０３の構成材料が流れる。このとき、ブ
ラックマトリクス１０２の格子状の部分１０２ｂは額縁部１０２ａに比べるとその各々が
狭いため、比較的広い領域である額縁部１０２ａに対応する領域にはオーバーコート層１
０３の構成材料が多量に存在しているのに対して、狭い領域である格子状の部分１０２ｂ
に対応する領域に存在するオーバーコート層１０３の構成材料はもともと少ない。このた
め、オーバーコート層１０３により平坦化された際に、対向基板１０１からオーバーコー
ト層１０３の表面までの厚みｔ１およびｔ２に着目すると、領域１１２ａ側の厚みｔ１の
方が領域１１２ｂ側の厚みｔ２に比べて大きくなってしまう。したがって、領域１１２ａ
に配置されたスペーサ１０４ａの突出高さ（対向基板１０１からスペーサ１０４の先端ま
での距離）が領域１１２ｂに配置されたスペーサ１０４ｂの突出高さに比べて大きくなる
。この場合、アレイ基板（図示せず）の額縁近傍に対応する領域が突出高さの大きいスペ
ーサ１０４ａによって支持され、かつ、アレイ基板の額縁近傍に対応する領域よりも内側
の領域が突出高さの小さいスペーサ１０４ｂによって支持されることになるので、アレイ
基板の額縁近傍に対応する領域よりも内側の領域が凹むように撓んでしまうという不都合
が生じる。その結果、対向基板１０１およびアレイ基板に挟持される液晶層の厚みが不均
一になるので、表示品位が低下するという問題点がある。
【００１０】
この発明は、上記のような課題を解決するためになされたものであり、この発明の目的
は、一対の基板の間に挟持される液晶層の厚みが不均一になることに起因する表示品位の
低下を抑制することが可能な液晶表示装置を提供することである。
【課題を解決するための手段】
【００１１】
上記目的を達成するために、この発明の一の局面による液晶表示装置は、液晶層が一対
の基板の間に挟持された液晶表示パネルを含む液晶表示装置であって、一対の基板のうち
の一方の基板の表面上に形成され、表示領域を取り囲む額縁部を少なくとも有するブラッ
クマトリクスと、ブラックマトリクスを覆うように、一方の基板の表面上に形成されたオ
ーバーコート層と、オーバーコート層の表面上に形成され、一対の基板の間の間隙を保持
するための複数のスペーサとを備えている。そして、スペーサは、ブラックマトリクスの
額縁部の近傍の第１領域に配置された最も外側の第１スペーサと、第１領域よりも内側の
第２領域に配置された第２スペーサとに分類されており、ブラックマトリクスの額縁部が
延びる方向に沿った所定の方向に互いに隣接する第１スペーサの間の間隔の少なくとも１
つが、所定の方向に互いに隣接する第２スペーサの間の間隔よりも大きくなるように構成
されている。
【００１２】
この一の局面による液晶表示装置では、上記のように、所定の方向に互いに隣接する第
１スペーサ（ブラックマトリクスの額縁部の近傍の第１領域に配置された最も外側のスペ
ーサ）の間の間隔の少なくとも１つが、所定の方向に互いに隣接する第２スペーサ（第１
領域よりも内側の第２領域に配置されたスペーサ）の間の間隔よりも大きくなるように構
成することによって、一対の基板のうちの他方の基板の額縁近傍に対応する領域を支持す
ることになる第１スペーサの突出高さ（一方の基板からスペーサの先端までの距離）が、
他方の基板の額縁近傍に対応する領域よりも内側の領域を支持することになる第２スペー
サの突出高さに比べて大きくなったとしても、第１スペーサの形成密度が疎となるために
その部分における他方の基板に対する支持力が弱くなるので、他方の基板の額縁近傍に対
応する領域よりも内側の領域が凹むように撓んでしまうのを抑制することができる。その
結果、一対の基板の間に挟持される液晶層の厚みが不均一になることに起因する表示品位
の低下を抑制することができる。
【００１３】
上記一の局面による液晶表示装置において、好ましくは、所定の方向に互いに隣接する
第１スペーサの間の間隔の全てが、所定の方向に互いに隣接する第２スペーサの間の間隔
よりも大きくなるように構成されている。このように構成すれば、他方の基板の額縁近傍
に対応する領域よりも内側の領域が凹むように撓んでしまうのをより抑制することができ
る。その結果、一対の基板の間に挟持される液晶層の厚みが不均一になることに起因する
表示品位の低下をより抑制することが可能となる。
【００１４】
上記一の局面による液晶表示装置において、好ましくは、第１スペーサおよび第２スペ
ーサは、それぞれ、所定の方向に沿って列状に配列されており、第１スペーサにより構成
される列の１列分に含まれる第１スペーサの個数は、第２スペーサにより構成される列の
１列分に含まれる第２スペーサの個数よりも少ない。このように構成すれば、容易に、所
定の方向に互いに隣接する第１スペーサの間の間隔の少なくとも１つを、所定の方向に互
いに隣接する第２スペーサの間の間隔よりも大きくすることができる。
【００１５】
上記一の局面による液晶表示装置において、液晶表示パネルは、カラーフィルタが設け
られていないモノクロ表示用の液晶表示パネルである。
【発明の効果】
【００１６】
以上のように、本発明によれば、一対の基板の間に挟持される液晶層の厚みが不均一に
なることに起因する表示品位の低下を抑制することが可能な液晶表示装置を容易に得るこ
とができる。
【発明を実施するための最良の形態】
【００１７】
図１は、本発明の一実施形態による液晶表示装置の１画素分の構造を示した断面図であ
る。図２は、図１に示した一実施形態による液晶表示装置に設けられたスペーサの配置位
置を説明するための平面図である。図３は、図１に示した一実施形態による液晶表示装置
に設けられたオーバーコート層の断面形状を説明するための断面図（図２の１００−１０
０線に沿った断面に対応する図）である。まず、図１〜図３を参照して、本実施形態によ
る液晶表示装置の構造について説明する。なお、本実施形態の液晶表示装置は、透過型の
液晶表示装置である。
【００１８】
本実施形態の液晶表示装置は、図１に示すような画素２１を複数含んでいるとともに、
その複数の画素２１が平面的に見てマトリクス状に配置された構造を有している。また、
本実施形態の液晶表示装置は、その液晶表示パネルにカラーフィルタが設けられておらず
、モノクロ表示のみを行うことが可能なように構成されている。
【００１９】
具体的には、本実施形態の液晶表示装置では、図１に示すように、液晶層１が一対の基
板２および３の間に挟持されている。この液晶層１を挟持する一対の基板２および３は、
ガラスやプラスチックなどからなる。なお、以下の説明では、基板３側を前面側（表示面
側）とし、基板２側を背面側とする。
【００２０】
基板２の前面側の表面上の所定領域には、後述する画素電極６をスイッチング制御する
ためのＴＦＴ（薄膜トランジスタ）４が形成されている。このＴＦＴ４は、ゲート電極４
１と、そのゲート電極４１を前面側から覆うように形成されたゲート絶縁膜４２と、ゲー
ト電極４１の前面側の表面上にゲート絶縁膜４２を介して形成された半導体層４３とによ
って構成されている。ゲート電極４１は、ＴＦＴ４のオン／オフを制御する信号が伝達さ
れるゲート線の一部であり、ＭＯ層およびＡｌ層の２つの層が順次形成された多層構造体
などからなる。また、ゲート絶縁膜４２は、ＳｉＮ膜などからなる。さらに、半導体層４
３は、アモルファスＳｉ層などからなるとともに、チャネル領域を挟むように配置された
ソース領域およびドレイン領域を有している。
【００２１】
また、半導体層４３の前面側の表面上には、半導体層４３のソース領域およびドレイン
領域にそれぞれ接続されるソース電極４４およびドレイン電極４５が形成されている。こ
のソース電極４４およびドレイン電極４５は、ＭＯ層、Ａｌ層およびＭＯ層の３つの層が
順次形成された多層構造体などからなる。また、ソース電極４４は、映像信号が伝達され
るデータ線（図示せず）に接続されるとともに、ドレイン電極４５は、後述する画素電極
６に接続される。そして、ＳｉＮ膜などからなるパッシベーション膜４６が、ソース電極
４４およびドレイン電極４５を前面側から覆うように形成されている。
【００２２】
また、基板２の前面側の表面上のＴＦＴ４が形成された所定領域以外の領域には、液晶
層１の液晶分子を駆動するための液晶駆動電極が形成されている。この液晶駆動電極は、
ＩＴＯ膜（透明導電膜）などからなる共通電極５と、その共通電極５の前面側の表面上に
絶縁膜（ゲート絶縁膜４２およびパッシベーション膜４６）を介して形成されたＩＴＯ膜
などからなる画素電極６とを含んでいる。なお、画素電極６には、液晶層１の液晶分子の
配向を規制するためのスリット（開口）６ａが複数形成されている。
【００２３】
また、共通電極５は、基板２の前面側の表面上のＴＦＴ４が形成された所定領域以外の
領域に形成されたコモン線７に接続されている。このコモン線７は、ＭＯ層およびＡｌ層
の２つの層が順次形成された多層構造体などからなるとともに、各画素２１の共通電極５
に共通の電位を供給する機能を有している。また、画素電極６は、パッシベーション膜４
６に形成されたコンタクトホール４６ａを介して、ＴＦＴ４のドレイン電極４５に接続さ
れている。
【００２４】
そして、表示動作の際には、液晶層１の液晶分子は、共通電極５と画素電極６との間に
発生する電界によって駆動される。すなわち、本実施形態の液晶表示装置は、液晶層１内
に発生させた横電界によって液晶分子を駆動する横電界方式を採用した液晶表示装置であ
る。
【００２５】
また、図１〜図３に示すように、基板（一方の基板）３の背面側の表面上には、光漏れ
を抑制するための樹脂製のブラックマトリクス８が形成されている。この樹脂製のブラッ
クマトリクス８は、たとえば、黒色顔料などが添加された樹脂（アクリル、エポキシおよ
びポリイミドなど）からなる。また、ブラックマトリクス８は、複数の画素２１を含む表
示領域２２を取り囲むように額縁状に形成された部分８ａ（以下、額縁部８ａと言う）と
、表示領域２２内において複数の画素２１を互いに区切るように格子状に形成された部分
８ｂとを有している。
【００２６】
なお、ブラックマトリクス８が樹脂製である場合には、ブラックマトリクス８の厚みを
大きくすることで遮光性が高まるので、その厚みが金属製のブラックマトリクスを用いる
場合に比べて大きくなる。また、基板２側に共通電極５および画素電極６の両方を配置す
る横電界方式の液晶表示装置では、基板３側に金属製のブラックマトリクス（たとえば、
クロムなど）を設けると、金属製のブラックマトリクスと共通電極５（画素電極６）との
間で予期せぬ電界が発生してしまい、液晶層１の液晶分子が駆動してしまう恐れがある。
したがって、特に横電界方式の液晶表示装置においては、本実施形態のような樹脂製のブ
ラックマトリクス８を用いるのが好ましい。
【００２７】
また、図１および図３に示すように、基板（一方の基板）３の背面側の表面上には、ブ
ラックマトリクス８を覆うように、アクリル樹脂などからなるオーバーコート層９が形成
されている。このオーバーコート層９は、ブラックマトリクス８により形成される基板３
の表面上の凹凸部を平坦化する機能を有している。さらに、オーバーコート層９は、樹脂
製のブラックマトリクス８が液晶層１に直に接することに起因して、ブラックマトリクス
８の樹脂成分が液晶層１に溶け出すという不都合が発生するのを抑制する機能も有してい
る。なお、ブラックマトリクス８の樹脂成分が液晶層１に溶け出した場合には、その溶け
出した樹脂成分が液晶層１に悪影響を及ぼす恐れがある。
【００２８】
ところで、基板３からオーバーコート層９の表面までの厚みｔ１およびｔ２に着目する
と、ブラックマトリクス８の額縁部８ａの近傍の領域２２ａの厚みｔ１は、ブラックマト
リクス８の額縁部８ａの近傍の領域２２ａよりも内側の領域２２ｂの厚みｔ２に比べて大
きくなっている。この理由を以下に説明する。
【００２９】
すなわち、オーバーコート層９の構成材料を基板３の表面上に塗布する際に、表面の平
坦性だけを求めて塗布量を増やしてしまうと、光の透過量や色などに大きく影響してしま
う。したがって、オーバーコート層９の構成材料の塗布量は、ある程度に留めておく必要
がある。この場合、塗布工程の直後において、オーバーコート層９の構成材料の量は、ブ
ラックマトリクス８の比較的広い領域である額縁部８ａに対応する領域と、ブラックマト
リクス８の狭い領域である格子状の部分８ｂに対応する領域とで互いに異なってしまう。
そして、塗布されたオーバーコート層９の構成材料は、凸状のブラックマトリクス８に対
応する領域からその周辺に徐々に流れていく。このため、オーバーコート層９の厚みは、
ブラックマトリクス８の額縁部８ａに対応する領域に比べてブラックマトリクス８の格子
状の部分８ｂに対応する領域の方が小さくなる。ただし、ブラックマトリクス８の格子状
の部分８ｂに対応する領域であっても、その領域がブラックマトリクス８の額縁部８ａの
近傍の領域２２ａであれば、ブラックマトリクス８の額縁部８ａの影響を強く受ける。こ
のため、ブラックマトリクス８の額縁部８ａの近傍の領域２２ａの厚みｔ１は、ブラック
マトリクス８の額縁部８ａの近傍の領域２２ａよりも内側の領域２２ｂの厚みｔ２に比べ
て大きくなる。
【００３０】
なお、図２に示すように、上記したブラックマトリクス８の額縁部８ａの近傍の領域２
２ａとは、平面的に見て、ブラックマトリクス８の額縁部８ａから内側方向に所定の間隔
を隔てた細い額縁状の領域である。また、上記したブラックマトリクス８の額縁部８ａの
近傍の領域２２ａよりも内側の領域２２ｂとは、平面的に見て、額縁状の領域２２ａに取
り囲まれた領域である。
【００３１】
また、図１〜図３に示すように、オーバーコート層９の背面側の表面上には、樹脂など
からなる柱状のスペーサ１０が複数形成されている。この複数のスペーサ１０は、ブラッ
クマトリクス８の格子状の部分８ｂに対応する領域に規則的に配列されている。このよう
なスペーサ１０を設けることによって、そのスペーサ１０により一対の基板２および３の
間の間隙が保持されるので、一対の基板２および３の間に挟持される液晶層１の厚み（セ
ルギャップ）の均一化を図ることが可能となる。なお、ブラックマトリクス８の部分８ｂ
の形状を表す格子状とは、厳密な格子状だけを意味しているのではなく、液晶表示装置の
表示領域に通常見受けられるブラックマトリクの形状（たとえば、一部を欠いている形状
）を含むものである。
【００３２】
ところで、上記したスペーサ１０は、領域２２ａよりも外側の領域には設けられていな
い。すなわち、領域２２ａに配置されたスペーサ１０が最も外側に位置するスペーサとな
る。以下の説明では、領域２２ａに配置されたスペーサ１０をスペーサ（第１スペーサ）
１０ａと言うとともに、領域２２ｂに配置されたスペーサ１０をスペーサ（第２スペーサ
）１０ｂと言う。なお、図２において、領域２２ａに配置されたスペーサ１０ａは黒丸で
示されているとともに、領域２２ｂに配置されたスペーサ１０ｂは白丸で示されている。
なお、本実施形態のように、領域２２ａよりも外側の領域にスペーサ１０が全く配置され
ていない場合だけではなく、ブラックマトリクス８の額縁部８ａに対応する領域にもスペ
ーサ１０が多少配置されていても構わない。
【００３３】
ここで、本実施形態では、図２に示すように、ブラックマトリクス８の額縁部８ａが延
びる所定の方向（Ｘ方向）に着目すると、スペーサ１０ａにより構成される列の１列分に
含まれるスペーサ１０ａの個数が、スペーサ１０ｂにより構成される列の１列分に含まれ
るスペーサ１０ｂの個数よりも少なくなっている。そして、Ｘ方向に互いに隣接するスペ
ーサ１０ａの間の間隔Ｗ１の全てが、Ｘ方向に互いに隣接するスペーサ１０ｂの間の間隔
Ｗ２よりも大きくなっている。
【００３４】
さらに、Ｘ方向と直交するＹ方向に着目した場合にも、スペーサ１０ａにより構成され
る列の１列分に含まれるスペーサ１０ａの個数が、スペーサ１０ｂにより構成される列の
１列分に含まれるスペーサ１０ｂの個数よりも少なくなっている。そして、Ｙ方向に互い
に隣接するスペーサ１０ａの間の間隔Ｗ３の全てが、Ｙ方向に互いに隣接するスペーサ１
０ｂの間の間隔Ｗ４よりも大きくなっている。
【００３５】
また、図１に示した液晶層１の前面側および背面側の各々には、配向膜（図示せず）が
設けられているとともに、基板２の背面側および基板３の前面側の各々には、偏光板（図
示せず）が配置されている。
【００３６】
本実施形態では、上記のように、ブラックマトリクス８の額縁部８ａが延びる所定の方
向に互いに隣接するスペーサ１０ａの間の間隔の全てが、ブラックマトリクス８の額縁部
８ａが延びる所定の方向に互いに隣接するスペーサ１０ｂの間の間隔よりも大きくなるよ
うに構成することによって、基板２の額縁近傍に対応する領域を支持することになるスペ
ーサ１０ａの突出高さ（基板３からスペーサ１０の先端までの距離）が、基板２の額縁近
傍に対応する領域よりも内側の領域を支持することになるスペーサ１０ｂの突出高さに比
べて大きくなったとしても、スペー１０ａの形成密度が疎となるためにその部分における
基板２に対する支持力が弱くなるので、基板２の額縁近傍に対応する領域よりも内側の領
域が凹むように撓んでしまうのを抑制することができる。その結果、一対の基板２および
３の間に挟持される液晶層１の厚みが不均一になることに起因する表示品位の低下を抑制
することができる。
【００３７】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００３８】
たとえば、上記実施形態では、透過型の液晶表示装置に本発明を適用する例について説
明したが、本発明はこれに限らず、反射型の液晶表示装置や半透過型の液晶表示装置にも
適用可能である。
【００３９】
また、上記実施形態では、液晶表示パネルにカラーフィルタが設けられていない液晶表
示装置に本発明を適用する例について説明したが、本発明はこれに限らず、液晶表示パネ
ルにカラーフィルタが設けられた液晶表示装置にも適用可能である。ただし、液晶表示パ
ネルにカラーフィルタが設けられた液晶表示装置では、ブラックマトリクスにより形成さ
れる基板の表面上の凹凸部にカラーフィルタが埋め込まれるので、上記したような問題は
起こりにくい。
【００４０】
また、上記実施形態では、共通電極の表面上に絶縁膜を介して画素電極を形成するよう
にしたが、本発明はこれに限らず、共通電極および画素電極を同一面上に形成するように
してもよい。
【００４１】
また、上記実施形態では、共通電極および画素電極の両方を、液晶層を挟持する一対の
基板のうちのいずれかに配置するようにしたが、本発明はこれに限らず、一方の基板側に
共通電極を配置し、他方の基板側に画素電極を配置するようにしてもよい。
【図面の簡単な説明】
【００４２】
【図１】本発明の一実施形態による液晶表示装置の１画素分の構造を示した断面図である。
【図２】図１に示した一実施形態による液晶表示装置に設けられたスペーサの配置位置を説明するための平面図である。
【図３】図１に示した一実施形態による液晶表示装置に設けられたオーバーコート層の断面形状を説明するための断面図である。
【図４】従来のモノクロ表示用の液晶表示装置の構造を説明するための断面図である。
【図５】図４に示した従来のモノクロ表示用の液晶表示装置に設けられたスペーサの配置位置を説明するための平面図である。
【符号の説明】
【００４３】
１  液晶層
２、３  基板
８  ブラックマトリクス
８ａ  部分（額縁部）
９  オーバーコート層
１０  スペーサ
１０ａ  スペーサ（第１スペーサ）
１０ｂ  スペーサ（第２スペーサ）
２２  表示領域
２２ａ  領域（第１領域）
２２ｂ  領域（第２領域）
【図１】
2009069723.tif 000003
【図２】
2009069723.tif 000004
【図３】
2009069723.tif 000005
【図４】
2009069723.tif 000006
【図５】
2009069723.tif 000007